(57)【要約】【課題】落雪し易く、かつ、積雪荷重に耐えることができる太陽電池パネル架台及びそれを用いた太陽光発電装置を提供する。【解決手段】太陽電池パネル架台１０は、屋根の縦方向に伸長された少なくとも１つの一対の縦レール１１を備えており、この縦レール１１の軒側には軒側支持部材１２が配設され、縦レール１１の棟側には棟カバー１３が配設されている。一対の縦レール１１の対向する側部には、例えば、太陽電池パネル２０の側部を挿入する溝状のパネル挿入部が長さ方向に沿ってそれぞれ設けられている。このパネル挿入部には、太陽電池パネル２０の側部が挿入されることにより、一対の縦レール１１の間に太陽電池パネル２０を配設することができるようになっている。【選択図】図１
0003192334.tif 000002
【実用新案登録請求の範囲】
【請求項１】
屋根の上に太陽電池パネルを配設する太陽電池パネル架台であって、
屋根の縦方向に伸長された少なくとも１つの一対の縦レールを備え、
この一対の縦レールの対向する側部には、太陽電池パネルの側部を挿入するパネル挿入部がそれぞれ設けられ、このパネル挿入部に太陽電池パネルの側部を挿入することにより前記一対の縦レールの間に太陽電池パネルを配設することが可能とされており、
前記縦レールは、１枚の太陽電池パネル又は複数枚の太陽電池パネルを縦方向に並べて挿入することができる長さであり、
前記縦レールの軒側には、前記一対の縦レールを連結するように伸長され、前記一対の縦レールの間に配設される太陽電池パネルの下端部を支持する軒側支持部材が配設され、
この軒側支持部材は、横方向に伸長された中空状の伸長部と、この伸長部を補強するために、横方向に間隔をあけて前記伸長部に配設された複数の支持補強板とを有し、
前記軒側支持部材の表面位置は、前記一対の縦レールの間に配設される太陽電池パネルの表面位置よりも低い
ことを特徴とする太陽電池パネル架台。
【請求項２】
前記縦レールの棟側には、前記一対の縦レールの間に配設される太陽電池パネルの上端部から上に向かって突出するように形成された棟カバーが配設されたことを特徴とする請求項１記載の太陽電池パネル架台。
【請求項３】
前記一対の縦レールの間には、複数枚の太陽電池パネルが縦方向に並べて挿入可能とされており、
縦方向に並べられた太陽電池パネルの間に、太陽電池パネルの表面から突出しないように裏面側から挿入して、棟側に位置する太陽電池パネルを支持するための中間支持部材を備えた
ことを特徴とする請求項１又は請求項２記載の太陽電池パネル架台。
【請求項４】
請求項１から請求項３のいずれか１に記載の太陽電池パネル架台と、
この太陽電池パネル架台に配設された太陽電池パネルと
を備えたことを特徴とする太陽光発電装置。
【請求項５】
前記一対の縦レールの間には、前記太陽電池パネルが縦方向において接触して、又は、１０ｍｍ以下の間隔をあけて、複数枚配設されたことを特徴とする請求項４記載の太陽光発電装置。
【考案の詳細な説明】
【技術分野】
【０００１】
本考案は、屋根の上に太陽電池パネルを取り付けるための太陽電池パネル架台、及び、その太陽電池パネル架台に太陽電池パネルを取り付けた太陽光発電装置に関する。
【背景技術】
【０００２】
近年、住宅などの建物の屋根に太陽電池パネルを設置し、太陽エネルギーを有効活用することが進められている。屋根に太陽電池パネルを設置する際には、例えば、屋根の棟側から軒先側に向かって縦方向に伸長された縦桟を間隔をあけて複数配設し、この縦桟の上に太陽電池パネルを配置し、太陽電池パネルの上側と下側とを横方向に伸長された固定金物で固定している（例えば、特許文献１参照）。
【先行技術文献】
【特許文献】
【０００３】
【特許文献１】特開平１０−３１７６２１
【考案の概要】
【考案が解決しようとする課題】
【０００４】
しかしながら、従来は、固定金物により太陽電池パネルの側面から表面にかけて覆っていたので、太陽電池パネルの表面に段差ができてしまっていた。また、固定金物により太陽電池パネルの上側と下側とを支えていたので、複数の太陽電池パネルを縦方向に並べて配置する場合には、太陽電池パネルの間に固定金物の幅分の隙間ができてしまっていた。そのため、降雪地においては、太陽電池パネルに積もった雪が落ちる際に、この段差や隙間が抵抗となってしまい、太陽電池パネルの表面から雪が落ちにくいという問題があった。これにより、太陽電池パネルの表面が雪で覆われてしまい、発電能力が低下してしまっていた。
【０００５】
本考案は、このような問題に基づきなされたものであり、落雪し易く、かつ、積雪荷重に耐えることができる太陽電池パネル架台及びそれを用いた太陽光発電装置を提供することを目的とする。
【課題を解決するための手段】
【０００６】
本考案の太陽電池パネル架台は、屋根の上に太陽電池パネルを配設するものであって、屋根の縦方向に伸長された少なくとも１つの一対の縦レールを備え、この一対の縦レールの対向する側部には、太陽電池パネルの側部を挿入するパネル挿入部がそれぞれ設けられ、このパネル挿入部に太陽電池パネルの側部を挿入することにより一対の縦レールの間に太陽電池パネルを配設することが可能とされており、縦レールは、１枚の太陽電池パネル又は複数枚の太陽電池パネルを縦方向に並べて挿入することができる長さであり、縦レールの軒側には、一対の縦レールを連結するように伸長され、一対の縦レールの間に配設される太陽電池パネルの下端部を支持する軒側支持部材が配設され、この軒側支持部材は、横方向に伸長された中空状の伸長部と、この伸長部を補強するために、横方向に間隔をあけて伸長部に配設された複数の支持補強板とを有し、軒側支持部材の表面位置は、前記一対の縦レールの間に配設される太陽電池パネルの表面位置よりも低いものである。
【０００７】
本考案の太陽光発電装置は、本考案の太陽電池パネル架台と、この太陽電池パネル架台に配設された太陽電池パネルとを備えたものである。
【考案の効果】
【０００８】
本考案によれば、一対の縦レールの対向する側部にパネル挿入部を設け、このパネル挿入部に太陽電池パネルの側部を挿入することにより一対の縦レールの間に太陽電池パネルを配設することができるようにすると共に、軒側支持部材の表面位置を太陽電池パネルの表面位置よりも低くするようにしたので、縦方向において太陽電池パネルの表面から突出する段差がないようにすることができる。また、縦方向において複数枚の太陽電池パネルの間に大きな隙間ができないようにすることができる。よって、太陽電池パネルの上に積もった雪が落ちる際の抵抗を小さくすることができ、落雪を促進して発電能力の低下を抑制することができる。更に、縦レールの軒側に、一対の縦レールを連結するように伸長させた軒側支持部材を配設し、軒側支持部材は横方向に間隔をあけて複数の支持補強板を有するようにしたので、支持強度を向上させることができ、積雪荷重にも十分耐えることができる。
【０００９】
また、縦レールの棟側に、太陽電池パネルの上端部から上に向かって突出するように形成された棟カバーを配設するようにすれば、棟カバーにより、棟と太陽電池パネルの上に積もった雪を棟側と太陽電池パネル側とに切断することができる。よって、太陽電池パネルの上の雪の落下を促進し、落雪の開始を早めることができる。また、棟側に残った雪が太陽電池パネルに覆いかぶさることを抑制することができ、発電能力の低下を抑制することができる。
【００１０】
更に、縦方向に並べられた太陽電池パネルの間に、太陽電池パネルの表面から突出しないように裏面側から挿入して、棟側に位置する太陽電池パネルを支持するための中間支持部材を備えるようにすれば、太陽電池パネルを縦方向に多数並べても、十分な支持強度を得ることができる。
【図面の簡単な説明】
【００１１】
【図１】本考案の一実施の形態に係る太陽電池パネル架台及び太陽光発電装置の全体構成を表す斜視図である。
【図２】図１に示した太陽電池パネル架台の縦レール及び太陽電池パネルを分解して表す斜視図である。
【図３】図１に示した太陽電池パネル架台の縦レールの構成を表す斜視図である。
【図４】図１に示した太陽電池パネル架台の縦レール及び太陽電池パネルの取付構造を表す図である。
【図５】図１に示した太陽電池パネル架台の軒側支持部材の構成を表す斜視図である。
【図６】図１に示した太陽電池パネル架台の軒側支持部材の取付構造を表す斜視図である。
【図７】図１に示した太陽電池パネル架台の軒側支持部材の表面位置を表す図である。
【図８】図１に示した太陽電池パネル架台の棟カバーの構成を表す図である。
【図９】図１に示した太陽電池パネル架台の棟カバーの構成を表す他の図である。
【図１０】図１に示した太陽電池パネル架台の中間支持部材の構成を表す図である。
【図１１】図１に示した太陽電池パネル架台の中間支持部材の構成を表す他の図である。
【考案を実施するための形態】
【００１２】
以下、本考案の実施の形態について、図面を参照して詳細に説明する。
【００１３】
図１は、本考案の一の実施の形態に係る太陽電池パネル架台１０及び太陽光発電装置１の全体構成を表すものである。太陽電池パネル架台１０は、屋根の上に太陽電池パネル２０を配設するものであり、太陽光発電装置１は、太陽電池パネル架台１０に太陽電池パネル２０を配設したものである。太陽電池パネル架台１０は、屋根の縦方向に伸長された少なくとも１つの一対の縦レール１１を備えており、この縦レール１１の軒側には軒側支持部材１２が配設され、縦レール１１の棟側には棟カバー１３が配設されていることが好ましい。なお、屋根の縦方向というのは、屋根の棟と軒とを結ぶ方向であり、横方向というのは、縦方向に対して垂直な方向である。
【００１４】
図２は、太陽電池パネル架台１０の縦レール１１及び太陽電池パネル２０の構成を分解して表すものであり、図３は、縦レール１１の構成を取り出して表すものであり、図４は、縦レール１１及び太陽電池パネル２０の取付構造を表すものである。各縦レール１１は、例えば、複数の配設部材１４により、屋根の上に、屋根の傾斜に沿って互いに並行に配設されている。本実施の形態では、縦レール１１は例えば３本配設され、真ん中の縦レール１１と、両側の各縦レール１１とがそれぞれ一対となり、２つの一対の縦レール１１が設けられている。
【００１５】
一対の縦レール１１の対向する側部には、例えば、太陽電池パネル２０の側部を挿入する溝状のパネル挿入部１１Ａが長さ方向に沿ってそれぞれ設けられている。このパネル挿入部１１Ａには、太陽電池パネル２０の側部が挿入されることにより、一対の縦レール１１の間に太陽電池パネル２０を配設することができるようになっている。各縦レール１１は、１枚の太陽電池パネル２０又は複数枚の太陽電池パネル２０を縦方向に並べて挿入することができる長さとされており、本実施の形態では、２枚の太陽電池パネル２０を縦方向に並べて挿入する場合について示している。各太陽電池パネル２０は、例えば、縦方向において、隣接する太陽電池パネル２０と接触して配設されている。
【００１６】
各縦レール１１のパネル挿入部１１Ａの下側、すなわち各縦レール１１の屋根側には、例えば、屋根に配設した配設部材１４に対して固定するための固定溝部１１Ｂが長さ方向に沿って両側部にそれぞれ設けられている。各縦レール１１と配設部材１４とは、例えば、固定溝部１１Ｂにナット１４Ａを埋め込み、ナット１４Ａと配設部材１４に設けられた孔との位置を合わせ、配設部材１４の孔からボルト１４Ｂを挿入することにより固定されている。
【００１７】
図５は、軒側支持部材１２の構成を取り出して表すものであり、図６は、軒側支持部材１２の取付構造を表すものであり、図７は、軒側支持部材１２の表面位置を表すものである。軒側支持部材１２は、例えば、軒側において一対の縦レール１１を連結するように横方向に伸長されており、一対の縦レール１１の間に配設される太陽電池パネル２０の下端部を支持するものである。すなわち、軒側支持部材１２は、最も軒側に位置する太陽電池パネル２０の下端部全体を支持している。軒側支持部材１２は、例えば、縦レール１１の下端部に対してボルト１２Ａにより固定されている。
【００１８】
また、軒側支持部材１２は、例えば、横方向に伸長された中空状の伸長部１２Ｂと、この伸長部１２Ｂを補強するために、横方向に間隔をあけて伸長部１２Ｂに配設された複数の支持補強板１２Ｃとを有している。軽量化しつつ、強度を向上させるためである。伸長部１２Ｂは、例えば、裏面側が開放された形状とされている。例えば、断面形状がコの字型に形成されていてもよく、また、表面が軒側に向かって太陽電池パネル２０よりも大きく傾斜するように構成されていてもよい。軒側支持部材１２の表面位置１２Ｄは、一対の縦レール１１の間に配設される太陽電池パネル２０の表面位置２０Ａよりも低くなっている。太陽電池パネル２０の表面よりも上に突出する段差をなくし、落雪時の抵抗を小さくすることで落雪促進し、かつ、軒側支持部材１２に加わる積雪荷重を軽減するためである。
【００１９】
図８及び図９は、棟カバー１３の構成を表すものである。棟カバー１３は、例えば、棟と太陽電池パネル２０の上に積もった雪を棟側と太陽電池パネル２０側とに切断することにより、太陽電池パネル２０の上の雪の落下を促進するものである。また、棟側に残った雪が太陽電池パネル２０に覆いかぶさることを抑制するためのものでもある。棟カバー１３は、例えば、一対の縦レール１１の間に配設される太陽電池パネル２０の上端部から上に向かって突出するように設けられた板状の仕切板部１３Ａと、この仕切板部１３Ａを縦レール１１に固定する仕切板固定部１３Ｂとを有している。
【００２０】
仕切板部１３Ａは、例えば、横方向において、太陽電池パネル２０の全体に対応して設けられることが好ましく、また、屋根の上に設置した際に、軒側の面が鉛直となるように構成されることが好ましい。仕切板固定部１３Ｂは、例えば、一対の縦レール１１の間に配設される太陽電池パネル２０の棟側側面に沿って横方向に伸長され、縦レール１１の上端部に対してボルト１３Ｃにより固定されている。仕切板部１３Ａ及び仕切板固定部１３Ｂの棟側には、例えば、横方向に間隔をあけて複数のカバー補強板１３Ａが配設されていることが好ましい。
【００２１】
この太陽電池パネル架台１０は、また、一対の縦レール１１の間に複数の太陽電池パネル２０が縦方向に並べて挿入される場合には、縦方向に並べられた太陽電池パネル２０の間に、棟側に位置する太陽電池パネル２０を支持する中間支持部材１５を配設するようにしてもよい。太陽電池パネル２０の枚数が多い場合に、棟側と軒側との中間位置においても太陽電池パネル２０を支持することにより、支持強度を高くするためである。
【００２２】
図１０及び図１１は、中間支持部材１５の構成を表すものである。中間支持部材１５は、例えば、太陽電池パネル２０の表面から突出しないように裏面側から挿入して、棟側に位置する太陽電池パネル２０を支持する支持板部１５Ａと、この支持板部１５Ａを縦レール１１に固定する支持板固定部１５Ｂとを有している。支持板部１５Ａの厚みは、１０ｍｍ以下であることが好ましく、少ないほどより好ましい。縦方向において隣接する太陽電池パネル２０の間の間隔を１０ｍｍ以下とすれば、落雪時の抵抗を問題ない程度まで小さくすることができるからである。支持板部１５Ａは支持板固定部１５Ｂに配設されている。支持板固定部１５Ｂは、例えば、支持板固定部１５Ｂに設けた孔と、縦レール１１の固定溝部１１Ｂに埋め込んだナットとの位置を合わせて、支持板固定部１５Ｂの孔からボルト１５Ｃを挿入することにより、縦レール１１に対して固定されている。
【００２３】
この太陽光発電装置１は、例えば、次のようにして屋根の上に設置される。まず、例えば、屋根の上に配設部材１４を配設し、配設部材１４に対して縦レール１１を固定して、縦レール１１の軒側に軒側支持部材１２を配設する。次いで、一対の縦レール１１の間に、棟側から太陽電池パネル２０を挿入する。その際、必要に応じて、太陽電池パネル２０の間に、中間支持部材１５を配設してもよい。続いて、縦レール１１の棟側に棟カバー１３を配設する。これにより設置が完了する。
【００２４】
この太陽光発電装置１では、縦方向において、太陽電池パネル２０の表面から突出する段差がなく、また、太陽電池パネル２０の間の間隔も小さいので、太陽電池パネル２０に積もった雪が落下する際の抵抗が小さく、落雪が促進される。更に、棟カバー１３により、棟と太陽電池パネル２０の上に積もった雪が切断されるので、太陽電池パネル２０の上の雪の落下開始が早まる。加えて、棟側に残った雪が太陽電池パネル２０に覆いかぶさることが抑制される。
【００２５】
このように本実施の形態によれば、一対の縦レール１１の対向する側部にパネル挿入部１１Ａを設け、このパネル挿入部１１Ａに太陽電池パネル２０の側部を挿入することにより一対の縦レール１１の間に太陽電池パネル２０を配設することができるようにすると共に、軒側支持部材１２の表面位置１２Ｄを太陽電池パネル２０の表面位置２０Ａよりも低くするようにしたので、縦方向において太陽電池パネル２０の表面から突出する段差がないようにすることができる。また、縦方向において複数枚の太陽電池パネル２０の間に大きな隙間ができないようにすることができる。よって、太陽電池パネル２０の上に積もった雪が落ちる際の抵抗を小さくすることができ、落雪を促進して発電能力の低下を抑制することができる。更に、縦レール１１の軒側に、一対の縦レール１１を連結するように伸長させた軒側支持部材１２を配設し、軒側支持部材１２は横方向に間隔をあけて複数の支持補強板１２Ｃを有するようにしたので、支持強度を向上させることができ、積雪荷重にも十分耐えることができる。
【００２６】
また、縦レール１１の棟側に、太陽電池パネル２０の上端部から上に向かって突出するように形成された棟カバー１３を配設するようにすれば、棟カバー１３により、棟と太陽電池パネル２０の上に積もった雪を棟側と太陽電池パネル２０側とに切断することができる。よって、太陽電池パネル２０の上の雪の落下を促進し、落雪の開始を早めることができる。また、棟側に残った雪が太陽電池パネル２０に覆いかぶさることを抑制することができ、発電能力の低下を抑制することができる。
【００２７】
更に、縦方向に並べられた太陽電池パネル２０の間に、太陽電池パネル２０の表面から突出しないように裏面側から挿入して、棟側に位置する太陽電池パネル２０を支持するための中間支持部材１５を備えるようにすれば、太陽電池パネル２０を縦方向に多数並べても、十分な支持強度を得ることができる。
【００２８】
以上、実施の形態を挙げて本考案を説明したが、本考案は上記実施の形態及び実施例に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２９】
１…太陽光発電装置、１０…太陽電池パネル架台、１１…縦レール、１１Ａ…パネル挿入部、１１Ｂ…固定溝部、１２…軒側支持部材、１２Ａ…ボルト、１２Ｂ…伸長部、１２Ｃ…支持補強板、１２Ｄ…表面位置、１３…棟カバー、１３Ａ…仕切板部、１３Ｂ…仕切板固定部、１３Ｃ…ボルト、１３Ｄ…カバー補強板、１４…配設部材、１４Ａ…ナット、１４Ｂ…ボルト、１５…中間支持部材、１５Ａ…支持板部、１５Ｂ…支持板固定部、１５Ｃ…ボルト、２０…太陽電池パネル、２０Ａ…表面位置
【図１】
0003192334.tif 000003
【図２】
0003192334.tif 000004
【図３】
0003192334.tif 000005
【図４】
0003192334.tif 000006
【図５】
0003192334.tif 000007
【図６】
0003192334.tif 000008
【図７】
0003192334.tif 000009
【図８】
0003192334.tif 000010
【図９】
0003192334.tif 000011
【図１０】
0003192334.tif 000012
【図１１】
0003192334.tif 000013